(57)【特許請求の範囲】
【請求項１】
適宜駆動手段により高速回転する細断用回転カッターを有する細断機構と、この細断機構に被細断物を手動的に或いは自動的に送給可能な送給機構とを備えたシュレッダー装置であって、前記細断機構は、適宜ケース内に配される細断用回転カッターと、送給機構に於ける送給路の終端部に配される細断用固定プレートとを有し、細断用回転カッターは、回転軸に固定される一対の基盤と、この一対の基盤の間に架設状に配される複数の取付杆と、この取付杆に貫通装着されると共に、スペーサーを介して所定間隔隔てた状態で配される複数の略丸鋸刃状回転刃とを備え、細断用固定プレートには、複数の回転刃の外周縁部分を収容可能な複数の切欠溝が凹設される細断用櫛歯部が設けられ、送給機構によって送給路を送給される被細断物は、細断用固定プレート上を移動する際に、切欠溝夫々に臨む細断用回転カッターの複数の回転刃によって細断されるよう構成したことを特徴とするシュレッダー装置。
【請求項２】
回転軸と、この回転軸に固定される基体と、この基体に突設される複数の掻き落し片とからなる巻付き防止用回転体を形成し、この巻付き防止用回転体を細断用回転カッターの近傍に配すると共に、複数の掻き落し片が隣設する回転刃の間の空間部分夫々を移動可能となるように形成し、回転する巻付き防止用回転体の掻き落し片の先端部分で、隣設する回転刃の間の空間部分夫々に巻付いた細断後の被細断物を掻き落せるように構成したことを特徴とする請求項１記載のシュレッダー装置。
【請求項３】
細断用回転カッターは、その外径寸法が異なる少なくとも二種類以上の回転刃を組合せることによって構成したことを特徴とする請求項１または請求項２記載のシュレッダー装置。
【請求項４】
細断用回転カッターをケースで囲撓するように形成すると共に、ケースの下部に適宜送風手段を配し、細断用回転カッターで細断された細断片を送風手段によって所定の位置まで移送できるよう構成したことを特徴とする請求項１または請求項２または請求項３記載のシュレッダー装置。
【発明の詳細な説明】
【技術分野】
【０００１】
本発明は、主に、不要となった紙等のようなシート状の被細断物や、或いは紙等を複数重ねた状態の被細断物や、或いは紙等を複数束ねた状態の書類状の被細断物等を細断できるようにしたシュレッダー装置に係り、特に、細断処理能力が高く、大量の被細断物を短時間で処理でき、しかも、構成が簡素で、耐久性に優れ、メンテナンスが容易となるように工夫したシュレッダー装置に関するものである。
【背景技術】
【０００２】
従来、この種のシュレッダー装置としては種々のものが提供されており、例えば、特許文献１のように、多数の切断刃を有する一対のロールカッターの間に紙等の被細断物を挿入して細断できるように構成されたものが数多く提供されている。
【０００３】
【特許文献１】特開平１１−２９０７０８号
【発明の開示】
【発明が解決しようとする課題】
【０００４】
ところが、従来のシュレッダー装置にあっては、多数枚重ねた状態の被細断物を一対のロールカッターによるせん断作用を利用して細断するようにしているため、一対のロールカッターの回転トルクがかなり高く、且つ回転速度がかなり遅く設定されており、結果的に細断処理時間が長くなってしまう難点があった。特に、大量の被細断物を処理する場合には、作業を能率的に行うことが難しい問題点があった。
また、所定枚数以上に重ねた状態の被細断物を細断しようとすると、これを一対のロールカッターが噛み込んだ状態となって負荷が増大し、一対のロールカッターが停止して細断作業が中断されてしまう虞等もあった。
【課題を解決するための手段】
【０００５】
そこで、本発明は前述の如き難点等を解消できるようなシュレッダー装置を提供すべく創出されたもので、請求項１記載のシュレッダー装置にあっては、適宜駆動手段により高速回転する細断用回転カッターＡを有する細断機構と、この細断機構に被細断物を手動的に或いは自動的に送給可能な送給機構とを備えたシュレッダー装置であって、前記細断機構は、適宜ケース４０内に配される細断用回転カッターＡと、送給機構に於ける送給路の終端部に配される細断用固定プレート５とを有し、細断用回転カッターＡは、回転軸１１に固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備え、細断用固定プレート５には、複数の回転刃２０の外周縁部分を収容可能な複数の切欠溝６が凹設される細断用櫛歯部７が設けられ、送給機構によって送給路を送給される被細断物は、細断用固定プレート５上を移動する際に、切欠溝６夫々に臨む細断用回転カッターＡの複数の回転刃２０によって細断されるよう構成する手段を採用した。
【０００６】
そして、請求項２載のシュレッダー装置にあっては、回転軸３１と、この回転軸３１に固定される基体３０と、この基体３０に突設される複数の掻き落し片３２とからなる巻付き防止用回転体Ｂを形成し、この巻付き防止用回転体Ｂを細断用回転カッターＡの近傍に配すると共に、複数の掻き落し片３２が隣設する回転刃２０の間の空間部分夫々を移動可能となるように形成し、回転する巻付き防止用回転体Ｂの掻き落し片３２の先端部分で、隣設する回転刃２０の間の空間部分夫々に巻付いた細断後の被細断物を掻き落せるように構成する手段を採用した。
【０００７】
それから、請求項３記載のシュレッダー装置において、細断用回転カッターＡは、その外径寸法が異なる少なくとも二種類以上の回転刃２０を組合せることによって構成する手段を採用した。
【０００８】
加えて、請求項４記載のシュレッダー装置にあっては、細断用回転カッターＡをケース４０で囲撓するように形成すると共に、ケース４０の下部に適宜送風手段を配し、細断用回転カッターＡで細断された細断片を送風手段によって所定の位置まで移送できるよう構成する手段を採用した。
【発明の効果】
【０００９】
本発明の請求項１記載のシュレッダー装置によれば、不要となった紙等のようなシート状の被細断物や、或いは紙等を複数重ねた状態の被細断物や、或いは紙等を複数束ねた状態の書類状の被細断物等の細断処理能力が極めて高く、大量の被細断物を短時間で能率的に処理できるものとなる。しかも、構成が簡素で、耐久性に優れ、メンテナンスが容易で、量産に適し、比較的低廉に提供でき、経済的なシュレッダー装置となる。
【００１０】
特に、細断機構は、適宜ケース４０内に配されて高速回転する細断用回転カッターＡと、送給機構に於ける送給路の終端部に配される細断用固定プレート５とを有し、細断用固定プレート５には細断用櫛歯部７が設けられ、被細断物が細断用固定プレート５上を移動する際に、切欠溝６夫々に臨む細断用回転カッターＡの複数の回転刃２０によって細断されるよう構成したので、紙等のようなシート状の被細断物（数枚程度重なった状態の被細断物も含む）の場合は、これを細断用回転カッターＡと細断用固定プレート５の細断用櫛歯部７とにより瞬時に且つ安定的に細断できるようになる。また、紙等を複数重ねた状態の被細断物の場合は、これを短時間で且つ安定的に細断できるようになり、更に、紙等を複数束ねた状態の書類状の被細断物の場合も、これを短時間で且つ安定的に細断できるようになる。すなわち、回転刃２０が高速回転することと、略丸鋸刃状であることとにより、比較的厚くなっている被細断物を細断する場合であっても、これを切断するように細断せしめるため、従来のシュレッダー装置のようなせん断作用を利用した細断と異なり、被細断物を噛み込んで細断作業が頻繁に中断されるような虞れのないものとなる。
【００１１】
そして、被細断物は、複数の略丸鋸刃状回転刃２０で切断される（回転刃２０の厚み部分が微細化される）ように細断されるため、仮に細断片を集めて被細断物を復元しようとしても、回転刃２０で切断された部分の復元が不可能であり、細断片から情報が漏洩する虞の全く無いものとなる。
【００１２】
加えて、被細断物は、送給機構によって送給路を手動的に或いは自動的に送給可能であるため、被細断物を細断用回転カッターＡがわにスムーズに且つ連続的に送給し易くなり、所定量の被細断物を細断処理するためにかかる時間を短縮できるようになる。
特に、紙等のようなシート状の被細断物（数枚程度重なった状態の被細断物も含む）を細断する場合は、これを瞬時に細断できるため、被細断物の送給速度をかなり速く設定できるようになり、細断処理時間の短縮は勿論のこと、細断用回転カッターＡの回転刃２０自体にかかる負担が小さくて済み、回転刃２０の損傷・磨耗等も抑制でき、耐久性にも良い影響を与えるものとなる。
【００１３】
それから、細断用回転カッターＡは、回転軸１１に固定される一対の基盤１０と、この一対の基盤１０の間に架設状に配される複数の取付杆１２と、この取付杆１２に貫通装着されると共に、スペーサー１６を介して所定間隔隔てた状態で配される複数の略丸鋸刃状回転刃２０とを備えた構成となっているので、比較的簡素な構成となると共に、回転刃２０の互換装着等も簡単に行えるようになり、メンテナンスも容易で、取扱い易い細断用回転カッターＡとなる。
【００１４】
そして、本発明の請求項２記載のシュレッダー装置によれば、巻付き防止用回転体Ｂによって、隣設する回転刃２０の間の空間部分夫々に巻付いた細断後の被細断物を確実に且つ簡単に掻き落せるようになり、細断処理が安定的に且つ連続して行えるようになる。ひいては、大量の被細断物の細断処理に適したものとなる。
【００１５】
特に、巻付き防止用回転体Ｂは、回転軸３１と、この回転軸３１に固定される基体３０と、この基体３０に突設される複数の掻き落し片３２とからなるので、比較的簡素な構成となると共に、メンテナンスも容易で、取扱い易い巻付き防止用回転体Ｂとなる。
【００１６】
それから、本発明の請求項３記載のシュレッダー装置によれば、被細断物を細断用回転カッターＡで細断し始める際に、全ての回転刃２０が被細断物を同時に細断することがなくなり、多数枚重ねた状態の被細断物を細断するときでも、細断用回転カッターＡが噛み込み状態となって、細断作業が中断するような虞れの無いものとなる。ひいては、細断用回転カッターＡに大きな負荷がかからないようになり、細断用回転カッターＡの耐久性が向上するようになる。
【００１７】
加えて、本発明の請求項４記載のシュレッダー装置によれば、適宜送風手段によって、細断用回転カッターＡで細断された細断片を所定の位置まで確実に且つスムーズに移送できるようになる。
【発明を実施するための最良の形態】
【００１８】
以下、本発明を図示例に基づいて説明すると、次の通りである。
本発明は、主に、不要となった紙等のようなシート状の被細断物や、或いは紙等を複数重ねた状態の被細断物や、或いは紙等を複数束ねた状態の書類状の被細断物等の適宜被細断物を細断でき、特に、細断処理能力が極めて高く、大量の被細断物を短時間で処理できるようにしたシュレッダー装置に係るもので、室内に設置して使用したり、或いは、ゴミ収集車７０等に搭載して使用したりできるように構成されたものである。
具体的には、適宜駆動手段により高速回転（例えば、１分当たり３００〜７００回転）する細断用回転カッターＡを有する細断機構と、この細断機構に被細断物を手動的に或いは自動的に送給可能な送給機構とを少なくとも備え、細断機構は、適宜ケース４０内に配される細断用回転カッターＡと、送給機構に於ける送給路の終端部に配される細断用櫛歯部７とを有し、細断用回転カッターＡは、回転軸芯に沿って所定間隔で配される複数の略丸鋸刃状回転刃２０を備え、細断用櫛歯部７は、複数の回転刃２０の外周縁部分が収容可能な複数の切欠溝６を所定間隔に配設せしめて形成され、送給機構によって送給路を連続的に（或いは不連続的に）送給される被細断物は、細断用櫛歯部７上を移動する際に、切欠溝６夫々に臨む細断用回転カッターＡの複数の回転刃２０によって切断して細断されるよう構成したものである。
すなわち、紙等のようなシート状の被細断物（数枚程度重なった状態の被細断物も含む）の場合は、これを細断用回転カッターＡと細断用櫛歯部７とにより瞬時に且つ安定的に細断でき、また、紙等を複数重ねた状態の被細断物や、紙等を複数束ねた状態の書類状の被細断物のように、比較的厚くなっている被細断物を細断する場合は、これを切断するように細断せしめて、短時間で且つ安定的に細断できるように構成されたものである。
【実施例】
【００１９】
図１乃至図３に示すようなシュレッダー装置は、適宜駆動手段により高速回転する細断用回転カッターＡを有する細断機構と、この細断機構に被細断物を手動的に或いは自動的に送給可能な送給機構とを備え、細断機構は、適宜ケース４０内に配される細断用回転カッターＡと、送給機構による送給路の終端部に配される細断用櫛歯部７とを有し、細断用回転カッターＡは、回転軸１１に固定される一対の基盤１０と、回転軸１１に貫通装着されると共に、スペーサー１６を介して所定間隔隔てた状態で配される複数の略丸鋸刃状回転刃２０とを備え、ガイドプレート１には、複数の回転刃２０の外周縁部分を収容可能な複数の切欠溝６が凹設される細断用櫛歯部７が設けられ、送給機構によって送給路を送給される被細断物は、細断用櫛歯部７上を移動する際に、切欠溝６夫々に臨む細断用回転カッターＡの複数の回転刃２０によって細断されるように構成されたものである。
しかも、細断用回転カッターＡの近傍（下方）には、巻付き防止機構としての巻付き防止用回転体Ｂが配されており、この巻付き防止用回転体Ｂは、例えば、回転軸３１と、この回転軸３１に固定される基体３０と、この基体３０に突設される複数の掻き落し片３２とからなり、複数の掻き落し片３２が隣設する回転刃２０の間の空間部分夫々に移動可能となるように形成され、掻き落し片３２の先端部分で、隣設する回転刃２０の間の空間部分夫々に巻付いた細断後の被細断物を掻き落せるように構成されている。
【００２０】
前記送給機構は、例えば、ガイドプレート１と、ガイドプレート１の細断用回転カッターＡがわ上方に配されるガイド上片８とを備えたものとなっている。
そして、前記ガイドプレート１は、例えば、略矩形板状に形成され、略水平状態から細断用回転カッターＡがわに行くに従って低くなるような任意の傾斜状態とすることができるように構成されている。すなわち、重力等を利用して被細断物が細断用回転カッターＡがわに無理なくスムーズに送給できるように形成されている。尚、ガイドプレート１には複数の送りローラ２等を設けると共に、この送りローラ２を駆動回転せしめる適宜駆動手段を設けるようにしても良い。
【００２１】
また、ガイドプレート１の細断用回転カッターＡがわの終端縁部分には、略細長溝状の複数の切欠溝６が端縁に沿って所定間隔に配されている。すなわち、切欠溝６によって櫛歯状に形成されており、この部分が細断用櫛歯部７となっている。
ところで、細断用櫛歯部７は、ガイドプレート１に直接的に設けず、ガイドプレート１と別体とした細断用固定プレート５を設け、この細断用固定プレート５に設けるようにしても良い。
【００２２】
前記ガイド上片８は、例えば、略細長帯板状を呈し、送給路の終端がわに配されると共に、ガイドプレート１の上方に配されている。しかも、細断用回転カッターＡがわに一度に送給できる被細断物の厚み（枚数）を制限できるように形成されていると共に、手指等が細断用回転カッターＡがわに入り込むのを阻止できるように形成されている。すなわち、細断用回転カッターＡの細断能力を超えて、一度に多数の被細断物が送給されることがないように構成されている。
【００２３】
更に、前記細断用回転カッターＡは、例えば、ケース４０或いはフレームに回転自在に支持される回転軸１１と、この回転軸１１に固定される一対の基盤１０と、回転軸１１に貫通装着されると共に、スペーサー１６を介して所定間隔隔てた状態で配される複数の略丸鋸刃状回転刃２０とからなり、複数の回転刃２０の外周縁部分が細断用櫛歯部７の切欠溝６夫々に収容されるように形成してある。すなわち、細断用櫛歯部７上を送給される被細断物を複数の回転刃２０で切断して細断するように形成されている。しかも、その組立て、分解が簡単に行え、消耗品でもある回転刃２０の互換装着が簡単に行え、取り扱い易く、メンテナンスし易い細断用回転カッターＡとなるように構成されている。
【００２４】
前記基盤１０は、例えば、略円板状を呈し、その中央部分に貫通ボルト・ナット等を介して回転軸１１が固定できるように形成されている。
【００２５】
前記回転軸１１は、例えば、一本の長尺丸棒状を呈し、一対の基盤１０及び複数の回転刃２０及び複数のスペーサー１６を貫通するように形成されている。
【００２６】
前記スペーサー１６は、例えば、比較的大径となる略円盤状を呈し、隣設する回転刃２０の間に介装されて、複数の回転刃２０を所定の間隔に配せるように形成されている。すなわち、このスペーサー１６は、隣設する回転刃２０の中央空間部分に、被細断物が入り込むのを確実に阻止できるように形成されている。
【００２７】
前記回転刃２０は、例えば、略丸鋸刃状を呈し、その中央部分に回転軸１１の貫通固定孔が穿設されている。
しかも、回転刃２０の外周部分に設けた複数の切刃２１は、交互に左右側部に折曲げるように形成してあり（例えば、アサリ状に形成してあり）、この切刃２１で細断された部分は、ある程度の幅部分が切り屑状となる（微細化される）ため、仮に細断片を集めても再現することが不可能となるように形成してある。
【００２８】
前記巻付き防止用回転体Ｂは、適宜駆動手段によって細断用回転カッターＡと同じ向きに回転するように構成されており、細断用回転カッターＡの隣設する回転刃２０の間に細断片が残っているような場合に、これを確実に掻き落せるように形成されたものである。
【００２９】
巻付き防止用回転体Ｂの基体３０は、例えば、略円筒状を呈すると共に、回転軸３１に貫通ボルト・ナット等を介して固着できるように構成されている。
【００３０】
前記回転軸３１は、例えば、ケース４０やフレーム等に装着されると共に、適宜駆動手段に連繋されて駆動回転するように形成されている。
【００３１】
前記掻き落し片３２は、例えば、略細長帯板状を呈し、基体３０に９０度間隔（或いは、６０度間隔、或いはその他の適宜間隔を採用できる）となるように突設されている。
【００３２】
尚、巻付き防止用回転体Ｂは、細断用回転カッターＡの回転速度よりも速い速度で駆動回転するように形成されており、特に、掻き落し片３２の先端部分に於ける周速度が、スペーサー１６の周速度より速くなるように回転せしめられて、スペーサー１６に巻き付くようになる被細断物を確実に且つ速やかに掻き落し片３２で掻き落せるように構成されている。
【００３３】
ところで、前記ガイド上片８の代わりに、図４乃至図７に示すような押えローラ５０を設けても良い。すなわち、この押えローラ５０は、送給機構に於いて送給路の終端部がわに於いてガイドプレート１の上方に配され、被細断物の搬送路を跨ぐようにガイドプレート１に固定される支持フレーム５１と、この支持フレーム５１の左右に垂下されると共に、押えローラ５０両端の軸部を回動自在に支持する軸支持体５２とによって装着されており、押えローラ５０の中央部分外表面には、滑り止め手段としてのローレット加工等が施されている。
更に、支持フレーム５１の左右寄りには、制動体５３が夫々配設されており、この制動体５３の下面にはブレーキ用のブレーキシュー５４が固着されており、このブレーキシュー５４が、押えローラ５０両端部分に接触可能となるように形成されている。
すなわち、押えローラ５０は、ガイドプレート１との間に所定の隙間（被細断物の通過空間）ができるように配置され、この部分に所定量以上の被細断物が搬送されてきたときに、軸支持体５２に設けたスプリングの弾発力に抗して押えローラ５０が上方に移動するように構成されている。
このとき、押えローラ５０は、その両端部分が制動体５３のブレーキシュー５４に圧接されるため、回転し難くなり（或いは、回転が阻止され）、しかも、最大所定量の被細断物しか通過させないようになると共に、この最大所定量の被細断物の送給速度が遅くなるように構成されている。すなわち、細断用回転カッターＡを停止させることがなく、細断用回転カッターＡでの処理能力に応じた速度に減速して被細断物を送給できるように構成してある。
【００３４】
ところで、図８及び図９は、送給機構に於いてガイドプレート１の代わりに昇降テーブル６０を設けたもので、この昇降テーブル６０の細断用固定プレート５がわ左右には、ガイドレール６１が配置されており、このガイドレール６１に内装した弾性スプリングによって昇降テーブル６０を上昇できるように構成されたものである。
すなわち、昇降テーブル６０の上に多量の被細断物を積重ねておくだけで、これが弾性スプリングによって自動的に上昇することとなり、押えローラ３を介して被細断物が連続的に細断用回転カッターＡがわに送給されるように構成されたものである。
【００３５】
更に、シュレッダー装置の具体的構成、形状、寸法、送給機構の具体的構成、形状、寸法、配設位置、ガイドプレート１の具体的構成、形状、寸法、材質、配設位置、送りローラ２の具体的構成、形状、寸法、材質、数、配設位置、押えローラ３の具体的構成、形状、寸法、材質、数、配設位置、細断用固定プレート５の具体的構成、形状、寸法、材質、配設位置、切欠溝６の具体的構成、形状、寸法、数、配設位置、細断用櫛歯部７の具体的構成、形状、寸法、数、配設位置、ガイド上片８の具体的構成、形状、寸法、材質、配設位置、細断機構の具体的構成、配設位置、細断用回転カッターＡの具体的構成、形状、寸法、材質、配設位置、基盤１０の具体的構成、形状、寸法、材質、配設位置、回転軸１１の具体的構成、形状、寸法、材質、配設位置、スペーサー１６の具体的構成、形状、寸法、材質、数、配設位置、回転軸１１の具体的構成、形状、寸法、材質、配設位置、スペーサー１６の具体的構成、形状、寸法、材質、数、配設位置、回転刃２０の具体的構成、形状、寸法、材質、数、配設位置、切刃２１の具体的構成、形状、寸法、数、配設位置、基体３０の具体的構成、形状、寸法、材質、配設位置、回転軸３１の具体的構成、形状、寸法、材質、配設位置、掻き落し片３２の具体的構成、形状、寸法、材質、数、配設位置、ケース４０の具体的構成、形状、寸法、材質、押えローラ５０の具体的構成、形状、寸法、材質、配設位置、支持フレーム５１の具体的構成、形状、寸法、材質、配設位置、軸支持体５２の具体的構成、形状、寸法、材質、配設位置、制動体５３の具体的構成、形状、寸法、材質、配設位置、ブレーキシュー５４の具体的構成、形状、寸法、材質、配設位置、昇降テーブル６０の具体的構成、形状、寸法、材質、配設位置、ガイドレール６１の具体的構成、形状、寸法、材質、配設位置、駆動手段の具体的構成、配設位置、送風手段の具体的構成、数、配設位置等は図示例のもの等に限定されることなく適宜自由に設定、変更できるものである。
【図面の簡単な説明】
【００３６】
【図１】本発明のシュレッダー装置の実施例を示す一部切欠概略側面図である。
【図２】本発明のシュレッダー装置の実施例を示す一部切欠概略平面図である。
【図３】本発明のシュレッダー装置の実施例を示す一部切欠概略背面図である。
【図４】本発明のシュレッダー装置の押えローラ部分の実施例を示す一部切欠正面図である。
【図５】本発明のシュレッダー装置の押えローラ部分の実施例を示す側面図である。
【図６】本発明のシュレッダー装置の押えローラ部分の実施例を示す一部切欠側面図である。
【図７】本発明のシュレッダー装置の押えローラ部分の実施例を示す一部切欠側面図である。
【図８】本発明のシュレッダー装置の送給機構の他の実施例を示す側面図である。
【図９】本発明のシュレッダー装置の送給機構の他の実施例を示す正面図である。
【符号の説明】
【００３７】
１  ガイドプレート
２  送りローラ
３  押えローラ
５  細断用固定プレート
６  切欠溝
７  細断用櫛歯部
８  ガイド上片
Ａ  細断用回転カッター
１０  基盤
１１  回転軸
１６  スペーサー
２０  回転刃
２１  切刃
Ｂ  巻付き防止用回転体
３０  基体
３１  回転軸
３２  掻き落し片
４０  ケース
５０  押えローラ
５１  支持フレーム
５２  軸支持体
５３  制動体
５４  ブレーキシュー
６０  昇降テーブル
６１  ガイドレール
【図１】
0005013286.tif 000002
【図２】
0005013286.tif 000003
【図３】
0005013286.tif 000004
【図４】
0005013286.tif 000005
【図５】
0005013286.tif 000006
【図６】
0005013286.tif 000007
【図７】
0005013286.tif 000008
【図８】
0005013286.tif 000009
【図９】
0005013286.tif 000010